(57)【要約】【課題】２４Ｖ仕様の車両に、１２Ｖ仕様の音響機器６をオプションとして取り付ける場合に、２４Ｖ仕様として既に取付けられているスタンダード音響機器１用のスピーカ４、５で、両音響機器１、６の音声が再生できるようにする。【解決手段】スタンダード音響機器１とスピーカ４、５とを接続するコネクタ２、３のあいだに、２４Ｖ電源をスタンダード音響機器１に供給すると共にスタンダード音響機器１のスピーカ回路を前記スピーカ４、５に接続する状態と、高電圧電源をＤＣ／ＤＣコンバータ７に供給すると共にオプション音響機器６のスピーカ回路をスピーカ４、５に接続する状態とに切換える切換えスイッチ１４を設けた。【選択図】図１
2007307987.tif 000002
【特許請求の範囲】
【請求項１】
高電圧仕様のスタンダード音響機器と該スタンダード音響機器に接続されるスピーカとを、高電圧回路が設けられるコネクタを介して接続してなる車両に、高電圧を低電圧に変換するＤＣ／ＤＣコンバータに接続される低電圧仕様のオプション音響機器を取付けるにあたり、スタンダード音響機器とスピーカとを接続するコネクタのあいだに、高電圧電源をスタンダード音響機器に供給すると共にスタンダード音響機器のスピーカ回路を前記スピーカに接続する状態と、高電圧電源をＤＣ／ＤＣコンバータに供給すると共にオプション音響機器のスピーカ回路をスピーカに接続する状態とに切換える切換えスイッチを設けたことを特徴とする車両の音響機器切換え装置。
【発明の詳細な説明】
【技術分野】
【０００１】
本発明は、電源電圧が低電圧である１２Ｖ（ボルト）仕様のものと高電圧である２４Ｖ仕様のもののように異なる音響機器を同時に搭載した場合に用いられる車両の音響機器切換え装置の技術分野に属するものである。
【背景技術】
【０００２】
一般に、乗用車、バス、トラック、さらには油圧ショベルのような車両においては、車載する電源電圧が低い１２Ｖ仕様のものと高い２４Ｖ仕様のものとがあり、前者は小型車量、後者は大型車両に用いられることが多い。そしてこのように異なった電源電圧仕様のものにオーディオ機器を車両に搭載する場合に、車両に備えられる電源電圧に対応した仕様のオーディオ機器を車載することが好ましい。ところが今日、車両の販売台数は１２Ｖ仕様のものが圧倒的に多く、このためオーディオ機器の販売価格は、１２Ｖ仕様のものの方が数が多いこともあって安価である。そこで２４Ｖ仕様の車両を購入した場合に、スタンダードとしてラジオ等の２４Ｖ仕様のスタンダード音響機器が取付けられている。このようなものにおいて、ユーザーやディーラー側でオーディオ機器等の音響機器をオプションアタッチメントとして後付けすることがあり、この場合に、安価な１２Ｖ仕様のオーディオ機器をオプションとして購入し、これを２４Ｖ仕様の車両に取付けることが考えられる。この場合、オプション音響機器は、ＤＣ／ＤＣコンバータを介して電源電圧を２４Ｖから１２Ｖに変換して供給することで対応できる（例えば特許文献１参照）。
【特許文献１】特開２００４−２４８３７６号公報
【発明の開示】
【発明が解決しようとする課題】
【０００３】
ところで前記ＤＣ／ＤＣコンバータを用いて電源電圧を２４Ｖから１２Ｖに落とし、この１２Ｖ電源をオプション音響機器に接続した場合、該オプション音響機器に、スタンダード音響機器のスピーカに接続するには、スピーカをスタンダード音響機器から外してオプション音響機器に接続しなければならず、そうすると今度はスタンダード音響機器を聞くことができないことになる結果、それぞれ専用のスピーカが必要になるが、余分なオプション用のスピーカの取付けスペースが確保できないものにおいては事実上オプション音響機器の取付けができないという問題があり、ここに本発明が解決せんとする課題がある。
【課題を解決するための手段】
【０００４】
本発明は、上記の如き実情に鑑みこれらの課題を解決することを目的として創作されたものであって、請求項１の発明は、高電圧仕様のスタンダード音響機器と該スタンダード音響機器に接続されるスピーカとを、高電圧回路が設けられるコネクタを介して接続してなる車両に、高電圧を低電圧に変換するＤＣ／ＤＣコンバータに接続される低電圧仕様のオプション音響機器を取付けるにあたり、スタンダード音響機器とスピーカとを接続するコネクタのあいだに、高電圧電源をスタンダード音響機器に供給すると共にスタンダード音響機器のスピーカ回路を前記スピーカに接続する状態と、高電圧電源をＤＣ／ＤＣコンバータに供給すると共にオプション音響機器のスピーカ回路をスピーカに接続する状態とに切換える切換えスイッチを設けたことを特徴とする車両の音響機器切換え装置である。
【発明の効果】
【０００５】
請求項１の発明とすることで、高電圧仕様の車両に低電圧仕様の音響機器をオプションとして取付ける場合に、スタンダード音響機器用として取付けられている既存のスピーカを用いて、オプション用は勿論、スタンダード用の音響機器の音声の再生が、簡単なスイッチ切換えでできることになる。
【発明を実施するための最良の形態】
【０００６】
次ぎに、本発明の実施の形態について図面に基づいて説明する。図中、１は車両に標準（スタンダード）装備されるラジオ等のスタンダード音響機器であって、該スタンダード音響機器１は、工場出荷時においては、互いに接続されるコネクタ２、３を介して一対のスピーカ４、５に接続されるようになっているが、該スタンダード音響機器１は２４Ｖ（ボルト）の高電圧仕様となっている。尚、スピーカ側のコネクタ３には電圧を２４Ｖとしてスイッチ状態では５Ａ（アンペア）、アンスイッチ状態では１０Ａの電流が電源回路３ａ、３ｂを介して流れるようになっていると共に、前記一対のスピーカ４、５に接続されるスピーカ回路４ａ、４ｂ、５ａ、５ｂが設けられている。また、スタンダード音響機器１とコネクタ２とのあいだには、電源回路３ａ、３ｂに接続される電源回路２ａ、２ｂ、スピーカ回路４ａ、４ｂ、５ａ、５ｂにそれぞれ接続されるスピーカ回路２ｃ、２ｄ、２ｅ、２ｆが設けられている。
【０００７】
一方、６はユーザーあるいはディーラーがオプションアタッチメントとして購入するオーディオ機器等のオプション音響機器であって、該オプション音響機器６は１２Ｖの低電圧仕様となっており、ＤＣ／ＤＣコンバータ７に設けられる一方（電源出力側）のコネクタ８に接続される。ＤＣ／ＤＣコンバータ７は、２４Ｖの直流電圧を１２Ｖの直流電圧に変換するものであって、電源入力となる他方のコネクタ９が設けられており、コネクタ８とＤＣ／ＤＣコンバータ７とのあいだには、５Ａ用と１０Ａ用の電源回路８ａ、８ｂと、スピーカ４、５用のスピーカ回路８ｃ、８ｄ、８ｅ、８ｆとが設けられ、またＤＣ／ＤＣコンバータ７とコネクタ９とのあいだには、５Ａ用と１０Ａ用の電源回路９ａ、９ｂと、スピーカ４、５用のスピーカ回路９ｃ、９ｄ、９ｅ、９ｆとが設けられている。
【０００８】
１０は本発明が実施されたスピーカ４、５に対する切換え装置であって、該切換え装置１０には、前記スピーカ４側のコネクタ３に接続されるコネクタ１１と、スタンダード音響機器１側のコネクタ２と、ＤＣ／ＤＣコンバータ６の他方のコネクタ９とにそれぞれ接続されるコネクタ１２、１３とが設けられている。そしてコネクタ１１と、コネクタ１２、１３とのあいだに切換えスイッチ１４が設けられている。切換えスイッチ１４は、電源切換え用のスイッチ本体１４ａと、スピーカ切換え用になる電磁式のリレースイッチ１４ｂ、１４ｃ、１４ｄ、１４ｅとから構成されている。
【０００９】
前記スイッチ本体１４ａとコネクタ１１とのあいだには５Ａ用と１０Ａ用との電源回路１１ａ、１１ｂが設けられ、コネクタ１１と各リレースイッチ１４ｂ、１４ｃ、１４ｄ、１４ｅとのあいだには、前記スピーカ回路４ａ、４ｂ、５ａ、５ｂにそれぞれ接続されるスピーカ回路１１ｃ、１１ｄ、１１ｅ、１１ｆが設けられている。
【００１０】
前記スイッチ本体１４ａとコネクタ１２とのあいだには、５Ａ用と１０Ａ用との電源回路１２ａ、１２ｂが設けられ、スイッチ本体１４ａとコネクタ１３とのあいだには、５Ａ用と１０Ａ用との電源回路１３ａ、１３ｂが設けられている。そしてスイッチ本体１４ａをスタンダード音響機器側に切換えると、電源回路１１ａと１２ａ、１１ｂと１２ｂとが接続され、オプション音響機器側に切換えると、電源回路１１ａと１３ａ、１１ｂと１３ｂとが接続されるようスイッチ切換えがなされるようになっている。
【００１１】
さらに本実施の形態では、スイッチ本体１４ａとコネクタ１２とのあいだの５Ａ用電源回路１２ａから分岐されて励磁用回路１４ｆが設けられ、該励磁用回路１４ｆが、前記リレースイッチ１４ｂ、１４ｃ、１４ｄ、１４ｅの各励磁コイルに並列接続されており、これによってリレースイッチ１４ｂ、１４ｃ、１４ｄ、１４ｅは、スイッチ本体１４ａをスタンダード音響機器側に切換えると励磁されることになって、リレースイッチ１４ｂ、１４ｃ、１４ｄ、１４ｅとコネクタ１２とを接続するスピーカ回路１２ｃ、１２ｄ、１２ｅ、１２ｆ側のスイッチ接点が閉成し、これによって切換えスイッチ１４は、スピーカ回路１１ｃと１２ｃ、１１ｄと１２ｄ、１１ｅと１２ｅ、１１ｆと１２ｆとが電気的に接続するように切換えられる。
【００１２】
一方、スイッチ本体１４ａをオプション音響機器側に切換えると、リレースイッチ１４ｂ、１４ｃ、１４ｄ、１４ｅは非励磁状態となってコネクタ１３と接続するスピーカ回路１３ｃ、１３ｄ、１３ｅ、１３ｆ側のスイッチ接点が閉成し、これによって切換えスイッチ１４は、スピーカ回路１１ｃと１３ｃ、１１ｄと１３ｄ、１１ｅと１３ｅ、１１ｆと１３ｆとが電気的に接続するように切換えられる（図１の状態）ようになっている。
【００１３】
そしてコネクタ３と１１、２と１２、９と１３同志をそれぞれ接続した状態で、切換えスイッチ１４を、スタンダード機器側に切換えると、スタンダード音響機器１に電源供給がなされると共に、スタンダード音響機器１からの音声信号がスピーカ４、５によって再生されて発音される一方、切換えスイッチ１４をオプション機器側に切換えると、オプション音響機器６側に電源供給がなされると共に、オプション音響機器６からの音声信号がスピーカ４、５によって再生されて発音されるようになっている。
【００１４】
叙述の如く構成された本発明の実施の形態において、２４Ｖ仕様の車両に１２Ｖ仕様の音響機器６をオプションとして取付ける場合に、スタンダード状態として接続されているコネクタ２、３を外した後、コネクタ３とコネクタ１１とを接続すると共に、コネクタ２と１１、９と１３を接続することで、スタンダード音響機器１とオプション音響機器６とは、電源およびスピーカ４、５に対して並列状態での接続となり、そしてこの間に設けられる切換えスイッチ１４を、スタンダード音響機器側かオプション音響機器側かに切換えることで、電源供給とスピーカ４、５への電気的な接続が各別になされることになる。この結果、オプション音響機器用として専用のスピーカの取付けが不要になってスタンダードとして既に取付けられているスピーカ４、５を用いて、スタンダード音響機器１とオプション音響機器６とからのそれぞれの音声信号を選択的に再生して聞くことができる。
【図面の簡単な説明】
【００１５】
【図１】音響機器の回路図である。
【符号の説明】
【００１６】
１    スタンダード音響機器
２、３    コネクタ
４、５    スピーカ
６    オプション音響機器
７    ＤＣ／ＤＣコンバータ
１０    切換え装置
１４    切換えスイッチ
【図１】
2007307987.tif 000003